(57)【要約】      （修正有）【課題】化粧液をスムーズに流出させ、均一に塗ることができるペンヘッド構造を持つ化粧ペンを提供する。【解決手段】ペンチューブと、ペンチューブ内に収容された貯液芯３６と、ペンチューブ底部に取り付けられたペンヘッドとを含む。ペンヘッドは、スリーブ５２と、繊維束からなるブラシ体５０とを含み、スリーブの上端は、貯液芯３６と結合され、ブラシ体５０は、スリーブ内に収容され、ブラシ体の底端は、スリーブから突出する。スリーブ上には通気孔が設けられ、通気孔の上段は、貯液芯３６内に位置することで、貯液芯３６にある化粧液は、該通気孔を通じてブラシ体５０に浸入することができる。通気孔の下段が貯液芯外に位置しガスをガイドするため、ブラシ体に侵入した化粧液は、ペンヘッドの底端からスムーズに流出することができ、均一に塗る効果を奏することができる。【選択図】図２
0003182645.tif 000002
【実用新案登録請求の範囲】
【請求項１】
軸方向に間隔を置いた頂部及び底部を有するペンチューブと、
前記ペンチューブ内部に収容され、化粧液を含有した貯液芯と、
前記ペンチューブの底部に取り付けられ、貫通孔と前記貫通孔と連通された槽孔とを有するペンヘッドカバーと、
前記ペンチューブ底部に取り付けられ、前記ペンヘッドカバーの貫通孔を通すペンヘッドであって、ブラシ体及びスリーブを含み、前記ブラシ体は、繊維束からなり、前記軸方向に間隔を置いた頂端及び底端を含み、前記スリーブは、前記軸方向に間隔を置いた上端と下端と、前記上端から前記下端の筒孔まで延在貫通する筒孔とを含み、前記ブラシ体は、前記スリーブの筒孔内に収容され、前記ブラシ体の底端は、前記スリーブの下端より突出し、前記スリーブの上端は前記貯液芯と結合し、前記スリーブは、前記筒孔と連通された通気孔を有し、前記通気孔の上段は、貯液芯内に位置し、前記通気孔の下段は、貯液芯外に位置し、前記ペンヘッドカバーの槽孔と連通されたペンヘッドと、
を備えることを特徴とする化粧ペン。
【請求項２】
前記ブラシ体の頂端外径は、前記スリーブの筒孔の孔径よりも少し大きく構成されることで、前記ブラシ体の頂端は、前記スリーブの上端に当接され、前記スリーブは、金属材料からなる筒体であり、前記スリーブの上端からさらに蓋着部が延在しており、前記ブラシ体が前記スリーブの筒孔に挿入された後、前記蓋着部は下へ折り曲げられ、前記ブラシ体の頂端上に被覆されることを特徴とする請求項１に記載の化粧ペン。
【請求項３】
前記通気孔は、前記軸方向に沿って延在し、前記通気孔が前記軸方向に沿って延在した長さは、前記スリーブの軸方向の長さの２０〜３５％であることを特徴とする請求項２に記載の化粧ペン。
【考案の詳細な説明】
【技術分野】
【０００１】
本考案は、化粧ペンに関し、特に化粧ペン内の化粧液をスムーズに流出させ、均一に塗ることができるペンヘッド構造に関するものである。
【背景技術】
【０００２】
図１は、従来の化粧ペン１０を示しており、その化粧ペン１０は、ペンチューブ１２と、ペンチューブ１２に収容された貯液芯１４と、貯液芯１４の底端に結合されたペンヘッド１６と、ペンチューブ１２の底端に取り付けられたペンヘッドカバー１８と、ペンチューブ１２の先端に取り付けられた上蓋２０とを含む。貯液芯１４には化粧液（例えば化粧水、精油、リップグロス等）が含有され、ペンヘッド１６は、繊維束からなるブラシ体２２と、ブラシ体２２の周囲に被覆された２つのプラスチック層２４，２６とを含む。ブラシ体２２の底端がペン先２８として形成され、ペンヘッド１６の先端が貯液芯１４と接触することで、貯液芯１４における化粧液は、毛細作用によりブラシ体２２のペン先２８に輸送し、塗り用途のために提供することができる。しかしながら、化粧ペン１０のペンヘッド１６は、製造上手間がかかるため、コストが増大する。具体的に言えば、化粧液に顆粒状の粉料が含有され、ブラシ体２２に輸送流動中の化粧液に閉塞が生じやすいため、ペンヘッド１６から液が出やすくなる（化粧液の送出）ようにペンヘッド１６のブラシ体２２の外側に２つのプラスチック層２４、２６を２つの製造工程により被覆する必要があり、しかも、プラスチック層を切断加工することにより空気孔を形成し、ブラシ体２２の底端を加工することによりペン先２８を形成する必要があるため、製造工程は極めて煩雑である。
【考案の概要】
【考案が解決しようとする課題】
【０００３】
そこで、本考案は、ペンヘッドから液がスムーズに流出する効果を有し、ペンヘッドを容易に製造できる利点を有し、コストを低減できる化粧ペンを提供することを目的とする。
【課題を解決するための手段】
【０００４】
本考案は、ペンチューブと、貯液芯と、ペンヘッドカバーと、ペンヘッドとを備える化粧ペンを提供する。該貯液芯は、ペンチューブ内部に収容され、化粧液を含有し、該ペンヘッドカバーは、該ペンチューブの底部に取り付けられ、貫通孔及び該貫通孔と連通された槽孔を有する。該ペンヘッドは、該ペンチューブの底部に取り付けられ、該ペンヘッドカバーの貫通孔を通し、該ペンヘッドは、ブラシ体及びスリーブを含み、該ブラシは、繊維束からなり、該スリーブは、上端及び下端と、該上端から該下端まで延在貫通する筒孔とを含み、該ブラシ体は、該スリーブの筒孔に収容され、該ブラシ体の底端は、該スリーブの下端から突出し、該スリーブの上端は、該貯液芯と結合され、該スリーブは、該筒孔と連通された通気孔を有し、該通気孔の上段は、貯液芯内に位置し、該通気孔の下段は、貯液芯外に位置し、該ペンヘッドカバーの槽孔と連通される。
【考案の効果】
【０００５】
本考案に係る化粧ペンによれば、化粧ペン内の化粧液をスムーズに流出させ、均一に塗ることができる効果を奏することができる。
【図面の簡単な説明】
【０００６】
【図１】従来の化粧ペンの断面図を示す。
【図２】本考案に係る化粧ペンの素子分解図を示す。
【図３】図２の化粧ペンの組み合わせ平面図を示す。
【図４】図２の化粧ペンの組み合わせ断面図であり、局所の拡大図を示す。
【図５】本考案に係る化粧ペンのペンヘッドの組み立て模式図を示す。
【考案を実施するための形態】
【０００７】
図２ないし図４は、本考案の一実施例に係る化粧ペン３０を示す。該化粧ペン３０は、ペンチューブ３４と、ペンチューブ３４内に収容された貯液芯３６と、ペンチューブ３４の底部３８に取り付けられたペンヘッドカバー４０と、ペンチューブ３４の頂部４２に取り付けられた上蓋４４と、ペンヘッド３２とを含む。ペンチューブ３４は、中空管体であり、貯液芯３６には化粧液（例えば化粧水、精油、リップグロス等）が含有され、ペンヘッドカバー４０の中央にはペンチューブ３４の軸方向に沿って延在した貫通孔４６が設けられ、ペンヘッドカバー４０の上には貫通孔４６と連通された通気槽孔４８が設けられ、ペンヘッド３２は、ペンチューブ３４の底部３８内に取り付けられ、ペンヘッドカバー４０の貫通孔４６を通す。
【０００８】
本考案に係る主要な特徴は、ペンヘッド３２の構造にある。ペンヘッド３２は、繊維束からなるブラシ体５０と、金属材料からなるスリーブ５２とを含む。ブラシ体５０を構成する繊維は、例えば綿、麻、糸等の繊維材質であり、好ましくは細毛長繊維である。ブラシ体５０は、該軸方向に間隔を置いた頂端５４と底端５６とを含み、ブラシ体５０の頂端５４の繊維は、互いに結合されることで外径の大きい頭部として形成され、ブラシ体５０の底端５６は、先鋭状に形成される。スリーブ５２は、該軸方向に間隔を置いた上端５８及び下端６０と、上端５８から下端６０まで延在貫通する筒孔６２とを含む。スリーブ５２の上には筒孔６２と連通された通気孔６４が設けられ、通気孔６４は、該軸方向に沿って延在する。
【０００９】
図５（ａ）、（ｂ）を参照すると、ブラシ体５０は、スリーブ５２の上端５８からスリーブ５２の筒孔６２内に挿入される。ブラシ体５０の頂端５４の外径を筒孔６２の孔径よりも少し大きくすることで、、頂端５４がスリーブ５２の上端５８に当接し、位置決め点が形成される。スリーブ５２の上端５８は、上へ円弧状蓋着部６６として延在し、ブラシ体５０がスリーブ５２の筒孔６２内に挿入された後、図５（ｃ）に示すように、蓋着部６６を下へ折り曲げ、ブラシ体５０の頂端５４に被覆することにより、ブラシ体５０を上へ移動不能にしている。また、ブラシ体５０がスリーブ５２の筒孔６２に挿入される過程において、蓋着部６６がブラシ体５０の当接面として機能するため、ブラシ体５０は、よりスムーズにスリーブ５２の筒孔６２に収容される。ブラシ体５０がスリーブ５２の筒孔６２内に挿入された後、スリーブ５２を内方へ押圧することによりブラシ体５０をさらに締め付ける。
【００１０】
図４を参照すると、スリーブ５２の上端５８が結合のために貯液芯３６の底部内に挿入され、スリーブ５２の通気孔６４の上段は、貯液芯３６内に位置するため、貯液芯３６における化粧液は、塗り用途として貯液芯３６を通じてブラシ体５０内に浸入し、毛細作用を通じてブラシ体５０の底端５６に輸送することができる。通気孔６４の下段が貯液芯３６外に位置し、ペンヘッドカバー４０の通気槽孔４８と連通することによりガスをガイドするため、ブラシ体５０は、一定の化粧液を保持することができ、ブラシ体５０内の化粧液を底端５６からスムーズに流出させ、均一に塗ることができる効果を奏することができる。さらに、通気孔６４の該軸方向における長さは、スリーブ５２の軸方向の長さの２０〜３５％であるのが好ましく、２０％以下である場合は、出液がスムーズにならない可能性があり、３５％以上である場合は、ブラシ体５０内に侵入する化粧液が多すぎる可能性がある。
【００１１】
ペンヘッド３２の構造設計により、化粧ペン３０内の化粧液は、ブラシ体５０の輸送過程において閉塞が生じ難いため、ペンヘッド３２は、出液がスムーズである効果を有し、ペンヘッド３２のブラシ体５０とスリーブ５２との組み立てが便利であるため、製造が容易で、コストが低下する利点を有する。
【００１２】
上記のように、これらの実施の形態は本考案の好ましい実施例のみであり、本考案の特許請求の範囲に基づいてなされる等価の変更や修飾は、本考案の技術範囲に入るものである。
【００１３】
以上のように、本考案では、軸方向に間隔を置いた頂部及び底部を有するペンチューブと、前記ペンチューブ内部に収容され、化粧液を含有した貯液芯と、前記ペンチューブの底部に取り付けられ、貫通孔と前記貫通孔と連通された槽孔とを有するペンヘッドカバーと、前記ペンチューブ底部に取り付けられ、前記ペンヘッドカバーの貫通孔を通すペンヘッドであって、ブラシ体及びスリーブを含み、前記ブラシ体は、繊維束からなり、前記軸方向に間隔を置いた頂端及び底端を含み、前記スリーブは、前記軸方向に間隔を置いた上端と下端と、前記上端から前記下端の筒孔まで延在貫通する筒孔とを含み、前記ブラシ体は、前記スリーブの筒孔内に収容され、前記ブラシ体の底端は、前記スリーブの下端より突出し、前記スリーブの上端は前記貯液芯と結合し、前記スリーブは、前記筒孔と連通された通気孔を有し、前記通気孔の上段は、貯液芯内に位置し、前記通気孔の下段は、貯液芯外に位置し、前記ペンヘッドカバーの槽孔と連通されたペンヘッドと、を備えることを特徴とする化粧ペンとするものである。
【００１４】
また、前記ブラシ体の頂端外径は、前記スリーブの筒孔の孔径よりも少し大きく構成されることで、前記ブラシ体の頂端は、前記スリーブの上端に当接され、前記スリーブは、金属材料からなる筒体であり、前記スリーブの上端からさらに蓋着部が延在しており、前記ブラシ体が前記スリーブの筒孔に挿入された後、前記蓋着部は下へ折り曲げられ、前記ブラシ体の頂端上に被覆されるものとする。
【００１５】
また、前記通気孔は、前記軸方向に沿って延在し、前記通気孔が前記軸方向に沿って延在した長さは、前記スリーブの軸方向の長さの２０〜３５％であるものとする。
【産業上の利用可能性】
【００１６】
本考案に係る化粧ペンによれば、化粧ペン内の化粧液をスムーズに流出させ、均一に塗ることができる効果を奏することができる。
【符号の説明】
【００１７】
１０  化粧ペン
１２  ペンチューブ
１４  芯
１６  ペンヘッド
１８  ペンヘッドカバー
２０  上蓋
２２  ブラシ体
２４  プラスチック層
２６  プラスチック層
２８  ペン先
３０  化粧ペン
３２  ペンヘッド
３４  ペンチューブ
３６  貯液芯
３８  底部
４０  ペンヘッドカバー
４２  頂部
４４  上蓋
４６  貫通孔
４８  槽孔
５０  ブラシ体
５２  スリーブ
５４  頂端
５６  底端
５８  上端
６０  下端
６２  筒孔
６４  通気孔
６６  蓋着部 
【図１】
0003182645.tif 000003
【図２】
0003182645.tif 000004
【図３】
0003182645.tif 000005
【図４】
0003182645.tif 000006
【図５】
0003182645.tif 000007